(57)【要約】【課    題】マルチチャンネル用スピーカの各ケーブル用プラグを、各チャンネル用のプラグごとにターミナルに接続する煩しさを解消すると共に、チャンネル間での誤接続をも効果的に回避でき、しかも、ターミナル側にはチャンネル識別用の色分け表示を不要とし、加えて、プラグとターミナルの小型化を図ることを可能にしたマルチチャンネルスピーカ用のターミナルとプラグを提供すること。【解決手段】オーディオ機器やビデオ機器の２チャンネル以上のスピーカ用ターミナルと、該ターミナルに各チャンネルの＋，−端子ごとに接続される２チャンネル以上のスピーカ用プラグにおいて、スピーカ用プラグＰＬは、各チャンネル用プラグの前記ターミナルＳＴへの差込み側６を一体化して形成すると共に、前記ターミナルＳＴは、そのプラグ差込み口３を一体化された前記プラグＰＬの差込み側６を受入れる形状に形成したこと。【選択図】    図１
2004171976.tif 000002
【特許請求の範囲】
【請求項１】
オーディオ機器やビデオ機器の２チャンネル以上のスピーカ用ターミナルと、該ターミナルに各チャンネルの＋，−端子ごとに接続される２チャンネル以上のスピーカ用プラグにおいて、スピーカ用プラグは、各チャンネル用プラグの前記ターミナルへの差込み側を一体化して形成すると共に、前記ターミナルは、そのプラグ差込み口を一体化された前記プラグの差込み側を受入れる形状に形成したことを特徴とする多チャンネルスピーカ用のターミナルとプラグ。
【請求項２】
オーディオ機器やビデオ機器の多チャンネルスピーカ用ターミナルに各チャンネルごと接続される＋，−端子を有する複数のスピーカ用プラグにおいて、少なくとも２チャンネル分のプラグの前記ターミナルへの差込み側を一体化して形成したことを特徴とする多チャンネルスピーカ用プラグ。
【請求項３】
一体化した差込み側を有する多チャンネルスピーカ用プラグは、ターミナルへの差込み側の外周形状を上下又は左右で非対称な形状にして差込みに方向性を付与した請求項１又は２の多チャンネルスピーカ用プラグ。
【請求項４】
多チャンネルスピーカ用プラグは、各チャンネルごとに色分け表示を施した請求項１〜３のいずれかの多チャンネルスピーカ用プラグ。
【請求項５】
オーディオ機器やビデオ機器の多チャンネルスピーカ用の複数のプラグが差込まれるターミナルにおいて、そのプラグ差込み口を、少なくとも２チャンネル分を一体化したプラグの差込み側に付与された外周形状を受入れる正面開口形状に形成したことを特徴とする多チャンネルスピーカ用ターミナル。
【請求項６】
多チャンネルスピーカ用ターミナルには、同軸ケーブル用のピンジャックを、プラグ差込み口に隣接して一体に設けた請求項１又は５の多チャンネルスピーカ用ターミナル。
【発明の詳細な説明】
【０００１】
【発明の属する技術分野】
本発明は、主としてオーディオ機器やビデオ機器におけるマルチチャンネルのスピーカ用ケーブルプラグ（以下、単に「プラグ」ということもある）と、このプラグを接続するためのマルチチャンネルスピーカ用のターミナル（以下、単に「ターミナル」ということもある）関する。
【０００２】
【従来の技術】
近時、オーディオ，ビデオ機器を使用したいわゆるホームシアターが一般家庭にも普及してスピーカの多チャンネル化が進展し、オーディオ機器やビデオ機器における複数チャンネル用のターミナルに複数個のスピーカを接続することが多くなった。
【０００３】
オーディオ機器，ビデオ機器においてスピーカの多チャンネル化が進むと、その機器に設けられるスピーカ用ターミナルも複数チャンネル用のスピーカに対応した出力端子が配列された形態となるため、誤接続が生じ易いという難点が指摘されている。このため、従来技術では、ターミナルを各チャンネルごとに色分けする一方、スピーカケーブル側にもターミナル側と同じ色を付けて誤接続を予防する措置が採られている。
【０００４】
しかし乍ら、従来の色分け手法は複数種類の色が夫々に印刷されたラベルを予め用意し、各ラベルを各チャンネルごとのターミナルの端子部に貼着したり、各チャンネルの端子が取付けられるターミナルパネルに、直接、各チャンネルごとに色分けした印刷を施したりしているため、予め各チャンネルに対応した色違いのラベルを製作してターミナルにおける各チャンネルの出力端子部に貼着したり、ターミナルパネルに各チャンネルごとに色分けした印刷を施さなければならないといった煩しさがある。
【０００５】
一方、設置するスピーカが多チャンネルになると、各チャンネルのスピーカに接続すべきスピーカケーブルもその本数が増加するため、各スピーカボックスの入力ターミナルにスピーカケーブルの＋側と−側のケーブル端部を夫々に接続する作業も大変な手間がかかって煩しいものになる。
【０００６】
この点に鑑み、スピーカボックスに、例えば、クリップ式でスピーカケーブルの撚り線を挟持する形式の入力端子を設け、スピーカケーブルの被覆を剥いだ撚り線を前記クリップ構造の端子に喰え込ませて接続するようにしたものが提案され、実用にも供されている。
【０００７】
しかし、上記のクリップ式の入力端子も、そのスピーカケーブルの極性を間違えないように＋，−極を色分けしたものがあるに止まり、チャンネル間での接続間違いを予防できるものではなく、また、各チャンネルのすべてのケーブルは＋側と−側のケーブルを夫々の端子に別個に接続する必要があるため、スピーカが多チャンネルの場合における接続作業の煩しさは余り改善されない。
【０００８】
上記のような点に鑑み本発明の出願人は、先に１チャンネル分の２本のスピーカケーブルをワンタッチ操作でそのチャンネルのスピーカターミナルに接続できるようにすると共に、各チャンネル用のスピーカターミナルの外部に露出する構成部材の色と、スピーカケーブル用のプラグの構成部材の色を、各チャンネルごとに異なる色相で共通化することにより、チャンネル間の接続間違いが生じない多チャンネルスピーカ用ターミナルと各チャンネルのスピーカケーブル用プラグを、特願２００１−３００９１１号として提案した。
【０００９】
即ち、先に本出願人が提案したスピーカターミナルは、２チャンネル以上のスピーカ用プラグの＋，−端子に夫々に接続される複数の＋，−端子であってオーディオ，ビデオ機器の回路に接続される複数の端子を具備した多チャンネルスピーカ用ターミナルにおいて、スピーカ用プラグが差込まれる側を、各チャンネルごとに異なる色に着色して色分けして構成したものである。ここでの各チャンネルごとの色分けの仕方には、スピーカターミナルにおける各チャンネル用のプラグ挿入穴（又は挿入口）側の外面に露出する夫々のカバーに、異なる色に着色された材料を使用する構成もある。
【００１０】
また、上記ターミナルに適用して好適なスピーカ用プラグとしては、各チャンネルごとに色分けされたマルチチャンネル用のスピーカターミナルにおける各チャンネルの＋，−極端子に夫々に接続される＋，−極端子と、該両端子に夫々に通じるケーブル挿入孔を具備したプラグ本体に、伏倒時にプラグ本体内に挿入される＋，−極のスピーカケーブルの撚り線を、当該プラグ本体の両端子に押圧して接続させる舌片状の押圧部を具備した起伏自在のケーブル押え部材を枢着して設けると共に、該ケーブル押え部材に、そのプラグ本体が挿入される前記ターミナルにおける各チャンネルごとの色分けと同じ着色を施した構成のものである。
【００１１】
上記のスピーカケーブル用プラグには、ケーブル押え部材に、プラグ本体に挿入されるケーブルの極性を示す目印を刻設することにより、このプラグに接続されるスピーカケーブルの極性を間違えないようにした構成のものもある。
【００１２】
先に提案したマルチチャンネル用のスピーカターミナルとプラグは、チャンネル間での誤接続を効果的に防止できる点で画期的なものであったが、各チャンネル用スピーカごとに、そのケーブル用プラグをターミナルに接続しなければならない煩しさが残っていた。特にセット機器（アンプ等）の裏面に配置されているマルチチャンネル用のターミナルに各チャンネルごとのスピーカ用プラグを差込む作業は至って煩雑なものであった。
【００１３】
【発明が解決しようとする課題】
そこで本発明では、このマルチチャンネル用スピーカの各ケーブル用プラグを、各チャンネル用のプラグごとにターミナルに接続する煩しさを解消すると共に、チャンネル間での誤接続をも効果的に回避でき、しかも、ターミナル側にはチャンネル識別用の色分け表示を不要とし、加えて、プラグとターミナルの小型化を図ることを可能にしたマルチチャンネルスピーカ用のターミナルとプラグを提供することを、その課題とするものである。
【００１４】
【課題を解決するための手段】
上記課題を解決することを目的としてなされた本発明多チャンネルスピーカ用のターミナルとプラグの構成は、オーディオ機器やビデオ機器の２チャンネル以上のスピーカ用ターミナルと、該ターミナルに各チャンネルの＋，−端子ごとに接続される２チャンネル以上のスピーカ用プラグにおいて、スピーカ用プラグは、各チャンネル用プラグの前記ターミナルへの差込み側を一体化して形成すると共に、前記ターミナルは、そのプラグ差込み口を一体化された前記プラグの差込み側を受入れる形状に形成したことを特徴とするものである。この構成により、多チャンネルスピーカ用ターミナルの小型化を図ると共に、多チャンネルのスピーカ用プラグのチャンネルごとの接続手間の省力化を、同時に達成することができる。
【００１５】
上記構成を有する本発明の一体化した差込み側を有するマルチチャンネルスピーカ用のプラグは、ターミナルへの差込み側の外周形状を、上下又は左右で非対称な形状にして差込みに方向性を付与した構成とすることが望ましい。また、このプラグの構成に対応して、ターミナルのプラグの差込み口は、プラグの差込み側に付与された外周形状を受入れる正面開口形状に形成することにより、誤挿込みを防止することができる。
【００１６】
上記の本発明プラグでは、各チャンネルごとに色分け表示を施し各チャンネル用のスピーカケーブルの誤接続を防止するようにしている。
【００１７】
また、本発明のマルチチャンネルスピーカ用のターミナルでは、同軸ケーブル用のピンジャックを、一体化されたプラグの差込み口に隣接して当該ターミナルに一体に設けることにより、従来はスピーカターミナルとは別体に設けられていた同軸ケーブル用ピンジャックをこのターミナルと一体化し、一層の省スペース化を図ることができる。
【００１８】
本発明においては、例えば６チャンネルスピーカ用のプラグは、すべてのチャンネル用のプラグの差込み側を一体化することは勿論、例えば３チャンネル分ずつに分けてそれらの差込み側を一体化する形態を含む。従って、前記プラグが差込まれる６チャンネル用のターミナルのプラグ差込み口も、６チャンネル分が一体化されたプラグの差込み側を受入れる差込み口形態のほか、３チャンネル分ごとに一体化された２つのプラグの差込み側を受入れる差込み口形態などがあり得る。
【００１９】
【発明の実施の形態】
次に本発明の実施の形態例について、図を参照し乍ら説明する。図１は本発明多チャンネルスピーカ用のプラグとターミナルの一例を示す斜視図、図２〜図５は、図１で用いた本発明プラグを説明するための図で、図２はこのプラグの正面図、図３は図２のプラグの右側面図、図４は図２のプラグの背面図（ターミナル差込み側の正面図）、図５は図２のプラグの底面図、図６は図１で用いた本発明ターミナルの正面図、図７は図６の本発明ターミナルの背面図、図８は同軸ケーブル用ピンジャックを正面中央の下部に設けた本発明ターミナルの別例の正面図、図９は図８のターミナルの平面図、図１０は図８，図９の本発明ターミナルに差込まれる本発明プラグの別例の正面図、図１１は図１０のプラグの底面図、図１２〜図１５は本発明プラグの要部の構造と機能を説明するための斜視図と断面図である。
【００２０】
図１並びに図６，図７において、１は、ここでは一例として６チャンネル分のスピーカ用に左右に並んだ＋，−端子２ａ，２ｂを一組とする６組の端子２ａ，２ｂを、正面が略口状に開口した１個のプラグ差込み口３の内部に規則的に並べると共に、開口部側に向け突出するように設けた大略箱状をなすターミナル本体、４は前記ターミナル本体１における背面パネルで、その内面に前記プラグ差込み口３に向けて、各チャンネル分の６組の＋，−端子２ａ，２ｂを保持するために、２本を１組とする６組の脚柱体２ｃ，２ｄが設けられている。即ち、背面パネル４の前面には、正面側のプラグ差込み口３に向けて、このターミナルに設けられる６組の＋，−端子２ａ，２ｂが６組の脚柱体２ｃ，２ｄに支持されて配設されている。
【００２１】
２ｅ，２ｆは、前記の各チャンネル分の６組の端子２ａ，２ｂと一体で、ターミナル本体１における背面パネル４の外面に突出させて下方へ垂下するように配設したコンタクト部であり、各端子２ａ，２ｂを回路基板などへ接続するための部材である。５ａ，５ｂは正面がプラグ差込み口３として開口したターミナル本体１において、該プラグ差込み口３の内面側底壁に、前記端子２ａ，２ｂと平行な向きで適当な幅を持たせて交互に形成した凹部と凸部で、後述する本発明プラグＰＬの誤差込みを防止するためのキー溝とキーを構成し、上記ターミナル本体１からキー溝とキーとなる凹，凸部５ａ，５ｂまでの構成により、本発明多チャンネルスピーカ用のターミナルＳＴの一例を形成する。ここで、キー溝乃至キーを形成する前記凹部５ａと凸部５ｂは、プラグ差込み口３の内面の天井側、又は、左，右いずれかの側壁に形成することもある。
【００２２】
上記の本発明ターミナルＳＴに対して使用される本発明プラグＰＬは、図１並びに図２〜図５に示すように、上記ターミナルＳＴのプラグ差込み口３に差込まれる、ここでは正面略口状の外形を有し、かつ、６チャンネル分の６組の端子９ａ，９ｂ（後述する）を内装したターミナル差込み側６と、この差込み側６の後方であって当該差込み側６と概ね一体の形態に形成された、各チャンネル分の２本を１組とする６組の＋，−側のケーブル８ａ，８ｂが接続されるケーブル接続側７とを具備して形成されている。
【００２３】
上記例において、本発明プラグＰＬとターミナルＳＴは、全チャンネル分を一体化することは勿論、例えば、プラグＰＬの側は左，右で４チャンネル分と２チャンネル分に分けた形態、或は、上，下で３チャンネル分ごとに分けた形態とし、これを受入れるターミナルＳＴの差込み口３は、前記の態様で何チャンネル分ごとに分けて一体化された２つのプラグＰＬの差込み側６の形態を受け入れることができる開口形状とすることもある。
【００２４】
次に、上記の本発明プラグＰＬにおいて、１チャンネル分のターミナル差込み部６１の端子９ａ，９ｂの配設構造と、この端子９ａ，９ｂに接続される２本のケーブル８ａ，８ｂの接続部７１について、図１〜図５、並びに、図１２〜図１５を参照しつつ説明する。
【００２５】
図１〜図５に示す全体の外観形態に形成された本発明プラグＰＬは、１チャンネル分のターミナル差込み部６１の＋，−端子９ａ，９ｂの配設構造と、この端子９ａ，９ｂに接続される１チャンネル分の２本のスピーカケーブル８ａ，８ｂに対する接続部７１の構造が、図１２〜図１５に例示した構造で形成されている。そして、前記１チャンネル分の差込み部６１とケーブル接続部７１は、本発明プラグＰＬのターミナル差込み側６とケーブル接続側７とに、それぞれが上，下で３組ずつ横方向に並べられ、６チャンネル分のターミナル差込み部６１とケーブル接続部７１とが一体化された形で設けられている。そこで、１チャンネル分のターミナル差込み部６１の端子配設構造とこれに対応した１チャンネル分のケーブル接続部７１の構造について以下に述べる。
【００２６】
まず、ターミナルＳＴにおける１個のプラグ差込み口３に挿抜自在に差込まれる外形が略口状をなす本発明プラグＰＬの差込み側６は、その内部が上，下で６個ずつ区画された左右２個の区画を１組とする一体化された６組の端子ハウス６１ａ，６１ｂを有し、その１組が１チャンネル分のターミナル差込み部６１を形成する。一方、本発明プラグＰＬのケーブル接続側７は、前記差込み側６における上，下で６組の端子ハウス６１ａ，６１ｂに対応して各チャンネル分の端子ハウス６１ａ，６１ｂの背後に、６組のケーブル接続部７１を一体化した形で有する。従って、図１２〜図１５は、１チャンネル分のターミナル差込み部６１における１組の端子ハウス６１ａ，６１ｂと、対応する１組のケーブル接続部７１の構造を抽出して示したものである。
【００２７】
図１３，図１５の１チャンネル分のターミナル差込み部６１における１組の端子ハウス６１ａ，６１ｂには、前記ターミナルＳＴにおける１チャンネル分の＋，−極の端子２ａ，２ｂに夫々に接続される１組の端子９ａ，９ｂが水平な姿勢で、この端子ハウス６１ａ，６１ｂの中に配設されている。
【００２８】
一方、前記１組の端子９ａ，９ｂに対応してプラグ後半部に位置付けた１チャンネル分のケーブル接続部７１は、このチャンネル分の＋，−端子９ａ，９ｂに通じた＋，−側の２本のケーブル８ａ，８ｂ用の２個のケーブル挿入穴７ａ，７ｂを、この接続部７１の背面に有する。そして、このケーブル挿入穴７ａ，７ｂに挿入される先端部の被覆を剥いだ＋，−両極のケーブル８ａ，８ｂにおける夫々の撚り線８ａ′，８ｂ′を、前記端子９ａ，９ｂの後方に当該端子９ａ，９ｂに接続されて配された倒Ｕ状のコンタクト部９ｃ，９ｄに押圧，挟持するため、舌片状の押圧部１０ａ，１０ｂを先端側に具備したレバー状をなすケーブル押え部材１０を、水平な軸１０ｃによりプラグ後半部に位置するこのケーブル接続部７１に起伏自在に枢着して備えている。
【００２９】
ケーブル押え部材１０は、それが軸１０ｃを中心に約６０度程度起立させた状態（図１２，図１３参照）では、撚り線８ａ′，８ｂ′を押える舌片状の押圧部１０ａ，１０ｂがケーブル８ａ，８ｂの挿入穴７ａ，７ｂにおける内径の上部側と略同じ高さに位置するので、この穴７ａ，７ｂに挿入される撚り線８ａ′，８ｂ′がその穴７ａ，７ｂから端子９ａ，９ｂにおけるコンタクト部９ｃ，９ｄ上に進入する障害にならない。また、この押え部材１０は、その起立時、ケーブル挿入穴７ａ，７ｂから夫々に内部に進入させられる撚り線８ａ′，８ｂ′を、夫々が接続されるべきコンタクト部９ｃ，９ｄの上に正確に案内するため、各押圧部１０ａと１０ｂとを夫々に両外側から挟む位置にガイド状の翼片１０ｄ，１０ｅが配置され、これが撚り線挿入のガイド溝として機能するように形成されている。
【００３０】
１１は、ケーブル押え部材１０において、その操作部１０ｆの上面に＋，−等の記号で刻設した極性の目印で、この目印１１は、本発明プラグＰＬに挿入して保持される、各チャンネルの２本のケーブル８ａ，８ｂにおける極性を特定し、逆極性接続を防止するためのものである。図示した例では、目印１１をケーブル押え部材１０の操作部１０ｆの上面に＋，−記号を刻印して形成したが、目印１１の形態は、これに限られない。
【００３１】
以上により、本発明プラグＰＬにおける１チャンネル分の＋，−端子９ａ，９ｂを設けた端子ハウス６１ａ，６１ｂによるターミナル差込み部６１と、前記端子９ａ，９ｂに接続されるケーブル８ａ，８ｂの接続部７１の機械的構造の一例が形成される。
【００３２】
本発明プラグＰＬでは、上記の１チャンネル分のターミナル差込み部６１とケーブル接続部７１を、このプラグＰＬにおけるターミナル差込み側６とケーブル接続側７とに、この例では６チャンネル分を一体化して形成している。具体的には、当該プラグＰＬの上半側に３個の差込み部６１と接続部７１を、また下半側に上下対称な向きで３個の差込み部６１と接続部７１を、全体を一体化した形態で配設することにより、本発明プラグＰＬの一例を形成している。なお、図４，図５において、６ａ，６ｂは、前記差込み側６の底部外面に形成した凸部と凹部で、前記ターミナルＳＴにおける凹部５ａと凸部５ｂに、キーとキー溝の関係で嵌り合うものである。
【００３３】
このように６チャンネル分のターミナル差込み部６１（差込み側６）とケーブル接続部７１（ケーブル接続側７）を一体化した本発明プラグＰＬでは、各チャンネルの６個のケーブル押え部材１０を、各チャンネルごとに異なる色に形成し、各チャンネル間でのスピーカケーブル８ａ，８ｂの誤接続を未然に防ぐことができるように形成されている。従って、各チャンネルのスピーカケーブル８ａ，８ｂの、本発明プラグＰＬにおける各チャンネル用のケーブル接続部７１に誤って接続されなければ、このプラグＰＬがターミナルＳＴに誤接続されることはない。
【００３４】
また、本発明プラグＰＬとターミナルＳＴは、このターミナルＳＴの１個のプラグ差込み口３に、多チャンネル分のプラグを一体化した形の１個の本発明プラグＰＬを１回差込むだけで、多チャンネル分のスピーカケーブル８ａ，８ｂが、１回の差込み操作でこのターミナルＳＴに接続されるから、従来、各チャンネル分ごとのプラグ差込みを不可欠とした操作が一度で済むという利点がある。
【００３５】
更に、本発明プラグＰＬとターミナルＳＴは、両方とも多チャンネル分を一体化した形態であるから、ターミナルＳＴもプラグＰＬもその外形、特に正面から見た外形を、従来の各チャンネル分が独立したタイプのプラグやターミナルの多チャンネル分を束ねた外形に比べ、大幅に小形化することができる効果もある。
【００３６】
上述した本発明プラグＰＬとターミナルＳＴによる好ましい利点や効果は、上記の６チャンネル用プラグＰＬとターミナルＳＴは無論のこと、図示しないが２チャンネル以上のプラグとターミナル、殊にチャンネル数が多いプラグとターミナルほど顕著に得ることができる。
【００３７】
上記のような利点，効果が得られる本発明プラグＰＬとターミナルＳＴは、図８，図９に例示した本発明の別例のターミナルと、このターミナルに対応する図１０，図１１に例示した本発明の別例のプラグによっても得られるほか、図８〜図１１に示した本発明ターミナルとプラグによっては、更に別の効果が得られるので、以下、この点について説明する。なお、図８〜図１１において図１〜図７の例と同一部材，同一部位は同一符号で示す。
【００３８】
図８，図９に示した本発明の別例のターミナルＳＴ２は、図６，図７の本発明ターミナルＳＴにおいて、下段中央の１チャンネル分の端子２ａ，２ｂを設けず、それにより生じる余剰スペースに、同軸ケーブル用のピンジャック１２を設けた点に、その形態上の特長を持たせたものである。なお、本発明においてピンジャック１２をどの位置の端子２ａ，２ｂの部位に設けるかは、任意に選択できる
【００３９】
一方、上記の本発明の別例のピンジャック１２を設けたターミナルＳＴ２に対応する本発明の別例のプラグＰＬ２は、図１０，図１１に示すように、上記ターミナルＳＴ２においてピンジャック１２が設けられた部位に対応した部分のターミナル差込み部６１とこの差込み部６１に対応したケーブル接続部７１を形成しない点に形態上の特長を持たせたものである。
【００４０】
上記の本発明の別例のターミナルＳＴ２とプラグＰＬ２は、従来、いわゆるホームシアター等の５．１チャンネル対応用に、スピーカ用ターミナルとは別体でアンプ等のセット機器に設けられていた同軸ケーブル信号（例えば、衛星放送等）用のピンジャックを、スピーカ用ターミナルと一体化できるので、セット機器に設けられる入，出力端子などを省スペース的に配置する上で効果的である。
【００４１】
【発明の効果】
本発明は以上の通りであって、次の諸効果が得られる。
従来、セット機器の裏側でチャンネル毎に各スピーカ用プラグを接続していた煩わしさが一回の接続操作で済み、また、チャンネル毎の接続時における誤接続が無くなる。これにより、従来、ターミナル側で行っていた各チャンネル用のターミナルにおける各プラグ挿入部の色分けが不要になる。
【００４２】
本発明では、ターミナル側のプラグ差込み口が一つであるので、各チャンネル毎のプラグを抜き挿しする際に要する指の入るスペースがターミナル側に不用になり、これによってターミナルを小型化でき、結果としてプラグ及びターミナルの両者を小型化することが出来る。
【００４３】
また、本発明では、同軸ケーブル信号のピンジャックをスピーカ用ターミナルと一体化したことによりより、セット機器の信号入，出力部の効率の高い省スペース化を図ることができる。
【００４４】
以上の結果、本発明プラグとターミナルは、いずれもプラスチック成形などにより一括した成形が可能になり、上記の小形軽量化と相俟って材料の削減、部品点数の削減等によりプラグ，ターミナルとも製造コストの低減を図ることができる。
【図面の簡単な説明】
【図１】本発明多チャンネルスピーカ用のプラグとターミナルの一例を示す斜視図
【図２】図１の本発明プラグの正面図
【図３】図２のプラグの右側面図
【図４】図２のプラグの背面図（ターミナル差込み側の正面図）
【図５】図２のプラグの底面図
【図６】図１で用いた本発明ターミナルの正面図
【図７】図６の本発明ターミナルの背面図
【図８】同軸ケーブル用ピンジャックを正面中央の下部に設けた本発明ターミナルの別例の正面図
【図９】図８のターミナルの平面図
【図１０】図８，図９の本発明ターミナルに差込まれる本発明プラグの別例の正面図
【図１１】図１０のプラグの底面図
【図１２】本発明プラグのケーブル接続前の要部の構造と機能を説明するための斜視図
【図１３】図１２のプラグのケーブル接続前の断面図
【図１４】本発明プラグのケーブル接続時の要部の構造と機能を説明するための斜視図
【図１５】図１４のプラグのケーブル接続時の断面図
【符号の説明】
ＳＴ，ＳＴ２    本発明ターミナル
１        ターミナル本体
２ａ，２ｂ    １チャンネル分のターミナル端子
３        プラグ差込み口
４        ターミナル本体の背面パネル
５ａ，５ｂ    凹部と凸部
ＰＬ        本発明プラグ
６        ターミナル差込み側
６１        各チャンネルのターミナル差込み部
７        ケーブル接続側
７１        各チャンネルのケーブル接続部
【図１】
2004171976.tif 000003
【図２】
2004171976.tif 000004
【図３】
2004171976.tif 000005
【図４】
2004171976.tif 000006
【図５】
2004171976.tif 000007
【図６】
2004171976.tif 000008
【図７】
2004171976.tif 000009
【図８】
2004171976.tif 000010
【図９】
2004171976.tif 000011
【図１０】
2004171976.tif 000012
【図１１】
2004171976.tif 000013
【図１２】
2004171976.tif 000014
【図１３】
2004171976.tif 000015
【図１４】
2004171976.tif 000016
【図１５】
2004171976.tif 000017